(57)【要約】【課題】自動車の側突事故等に際して、一方の分割トリムが他方の分割トリムに対して車室側に倒壊したような場合、この倒壊によって他方の分割トリム側に剥離部分を形成するように構成すると共に当該剥離部分が車室内側に顕出しないように構成した。【解決手段】センタトリム３側の接合部３ｂの近傍である段差部３ｄの内側角部における樹脂芯材３−１に脆弱部４を形成して、自動車の側突時にトリム本体２がセンタトリム３に対して車室側に倒壊した際に、取付けボス２ｄがリブ片２ｃと共にトリム本体２から剥離することなく脆弱部４が破壊して、センタトリム３の接合部２ｂと共に表皮材３−２がトリム本体２の倒壊方向Ｘに引き入れられて、センタトリム３の接合部３ｂの破断面３ｂ−１を表皮材３−２により覆うようにした。【選択図】図２
2009101903.tif 000002
【特許請求の範囲】
【請求項１】
車体の車室側を美装するトリム部品を、互いに分割した少なくとも一対の分割トリム体により構成し、当該分割トリム体の接合部同士を重合した状態で取付けることによって一体構成となす自動車用トリム部品構造であって、前記一対の分割トリム体のうち一方の分割トリム体は少なくとも樹脂芯材により構成し、他方の分割トリム体は樹脂芯材の車室側表面にクロス材等の表皮材を張設して構成されており、且つ、前記一方の分割トリム体の接合部には前記他方の分割トリム体の接合部側に延在する取付けボス部が形成されると共に、他方の分割トリム体の接合部には前記取付けボスを嵌合する取付け孔が形成されており、該取付け孔および前記取付けボスを用いて前記両分割トリム体を一体構成し、さらに、前記他方の分割トリム体の接合部近傍における前記樹脂芯材にノッチ或いは貫通孔等を設けることにより脆弱部を形成し、前記自動車の側突時において前記一方の分割トリム体が前記他方の分割トリム体に対して車室側に倒壊した際に前記一方の分割トリム体の前記脆弱部を破壊させて、前記他方の分割トリム体の接合部と共に前記表皮材を一方の分割トリム体の倒壊方向に引き入れることによって、他方の分割トリム体の前記接合部破断面を前記表皮材により覆うように構成したことを特徴とする自動車用トリム部品構造。
【発明の詳細な説明】
【技術分野】
【０００１】
本発明は、ドアトリム、リアサイドトリム、ラゲージトリムのような車体の車室側を美装する自動車用トリム部品構造、特に、トリム部品を互いに分割した一対の分割トリム体により構成し、これら接合部同士を重合した状態で取付けることによって一体構成となす自動車用トリム部品構造に関するものである。
【背景技術】
【０００２】
一般に、この種の自動車用トリム部品構造、例えば図１に示すドアトリム部品１においては、不図示のドア本体の車室側を美装するように構成されており、型成形上或いはデザイン上等の理由から、互いに分割した一方の分割トリム体であるトリム本体２と他方の分割トリム体として中接部分を構成するセンタトリム３とを分割構成すると共に、後述の接合部同士を重合した状態で取付けることによって、一体と構成している。
【０００３】
そして、図４に示す従来のドアトリム部品１においては、センタトリム３は、樹脂芯材３−１の車室側をクロス等の表皮材３−２を張設することによって構成されており、且つ、その外周縁部分を段差部３ｄに形成することによってセンタトリム３側の接合部３ｂが形成されており、接合部３ｂには、取付け孔３ｃが貫通形成されている。
【０００４】
また、トリム本体２は、その上方側略センタ部分に孔部を設け、孔部の周縁部分にセンタトリム３側に向かって延在する折曲先端部２ａが形成され、折曲先端部２ａの外方におけるセンタトリム３側の接合部３ｂに対向する部分をトリム本体２側の接合部２ｂに構成している。
【０００５】
トリム本体２側の接合部２ｂには、複数のリブ片２ｃにより補強された取付けボス２ｄがセンタトリム３側の接合部３ｂ側に延在するように形成されている。
【０００６】
従って、トリム本体２とセンタトリム３とを一体構成するには、トリム本体２側の取付けボス２ｄをセンタトリム３側の接合部３ｂの取付け孔３ｃに嵌合挿通させて、両接合部２ｂ、３ｂ同士を対向させ、取付け孔３ｃから車体側に突出した取付けボス２ｄの先端を加締め溶着等することになる（特許文献１乃至３参照）。
【特許文献１】特開平６−２７０６７６号公報
【特許文献２】特開平１１―１１５４８８号公報
【特許文献３】特開平１１−１２９７５９号公報
【発明の開示】
【発明が解決しようとする課題】
【０００７】
しかしながら、上記のように構成する従来のドアトリム部品１においては、自動車が側突事故等に遭遇した際には、図５に示すように、取付けボス２ｄとセンタトリム３とは、加締め溶着等により固着されてそれ相当の剛性を有していることから、取付けボス２ｄおよびリブ片２ｃにおけるトリム本体２の根本部分が破断することになる。
【０００８】
この結果、トリム本体２が車室側に倒壊した場合には、取付けボス２ｄおよびリブ片２ｃの破断面２ｅがシャープエッジとなって車室側に顕出してしまことになる。
【０００９】
そこで、本発明は、自動車の側突事故等に際して、一方の分割トリムが他方の分割トリムに対して車室側に倒壊したような場合、この倒壊によって他方の分割トリム側に剥離部分を形成するように構成すると共に当該剥離部分が車室内側に顕出しないように構成した自動車用トリム部品構造を提供することを目的としている。
【課題を解決するための手段】
【００１０】
本発明に係る自動車用トリム構造は、車体の車室側を美装するトリム部品を、互いに分割した少なくとも一対の分割トリム体により構成し、当該分割トリム体の接合部同士を重合した状態で取付けることによって一体構成となす自動車用トリム部品構造であって、前記一対の分割トリム体のうち一方の分割トリム体は少なくとも樹脂芯材により構成し、他方の分割トリム体は樹脂芯材の車室側表面にクロス材等の表皮材を張設して構成されており、且つ、前記一方の分割トリム体の接合部には前記他方の分割トリム体の接合部側に延在する取付けボス部が形成されると共に、他方の分割トリム体の接合部には前記取付けボスを嵌合する取付け孔が形成されており、該取付け孔および前記取付けボスを用いて前記両分割トリム体を一体構成し、さらに、前記他方の分割トリム体の接合部近傍における前記樹脂芯材にノッチ或いは貫通孔等を設けることにより脆弱部を形成し、前記自動車の側突時において前記一方の分割トリム体が前記他方の分割トリム体に対して車室側に倒壊した際に前記一方の分割トリム体の前記脆弱部を破壊させて、前記他方の分割トリム体の接合部と共に前記表皮材を一方の分割トリム体の倒壊方向に引き入れることによって、他方の分割トリム体の前記接合部破断面を前記表皮材により覆うように構成したことを特徴とする。
【発明の効果】
【００１１】
上記のように構成する本発明によれば、他方の分割トリム体の接合部近傍における樹脂芯材に脆弱部を形成したことから、自動車の側突時において一方の分割トリム体が他方の分割トリム体に対して車室側に倒壊した際に脆弱部が破壊して、他方の分割トリム体の接合部と共に表皮材が一方の分割トリム体の倒壊方向に引き入れることになって、他方の分割トリム体の接合部破断面が表皮材により覆われることになって、シャープエッジを車室側に顕出しないようにすることができる。
【発明を実施するための最良の形態】
【００１２】
次に、図１及び図２を用いて、本発明に係る実施例について以下に説明する。なお、従来の技術に対応する部分については、同一符号を使用して説明することとする。
【００１３】
図１は一般的な自動車用トリム部品であるドアトリム部品を車室側から描画した正面図、図２は本発明に係る実施例を描画した図１のＡ−Ａ断面図である。
【００１４】
先ず、図１によれば、不図示の車体における車室側を美装するトリム部品、例えば不図示のドア本体の車室側を美装するドアトリム部品１においては、型成形上或いはデザイン上等の理由から、互いに分割した一方の分割トリム体であるトリム本体２と他方の分割トリム体として中接部分を構成するセンタトリム３とを分割構成すると共に、後述の接合部同士を重合した状態で取付けることによって、一体構成している。
【００１５】
そして、図２に示す本発明に係る実施例におけるドアトリム部品１においては、センタトリム３が、樹脂芯材３−１の車室側をクロス等の表皮材３−２を張設することによって構成されており、且つ、センタトリム３の外周縁部分を段差部３ｄに形成することによってセンタトリム３側の接合部３ｂが形成されており、接合部３ｂには、取付け孔３ｃが貫通形成されている。
【００１６】
また、トリム本体２は、その上方側略センタ部分に孔部を設け、孔部の周縁部分にセンタトリム３側に向かって延在する折曲先端部２ａが形成され、折曲先端部２ａの外方におけるセンタトリム３側の接合部３ｂに対向する部分をトリム本体２側の接合部２ｂに構成している。
【００１７】
トリム本体２側の接合部２ｂには、複数のリブ片２ｃにより補強された取付けボス２ｄがセンタトリム３の接合部３ｂ側に延在するように形成されている。
【００１８】
従って、トリム本体２とセンタトリム３とを一体構成するには、トリム本体２側の取付けボス２ｄをセンタトリム３側の接合部３ｂの取付け孔３ｃに挿通させて、両接合部２ｂ、３ｂ同士を対向させ、取付け孔３ｃから車体側に突出した取付けボス２ｄの先端を加締め溶着等することになる。
【００１９】
この際、トリム本体２の折曲先端部２ａがセンタトリム３の段差部３ｄの外側角部に存する表皮材３−２に当接していることになり、且つ、リブ片２ｃがやはり表皮材３−２に当接していることになる。
【００２０】
さらに、センタトリム３の樹脂芯材３−１における接合部３ｂ近傍である段差部３ｄの内側角部には、ノッチ、貫通孔或いは溝部等を設けることにより薄肉状の脆弱部４が形成されている。
【００２１】
かかる構成により、センタトリム３側の接合部３ｂの近傍である段差部３ｄの内側角部における樹脂芯材３−１に脆弱部４を形成したことから、自動車の側突時においてトリム本体２がセンタトリム３に対して車室側に倒壊した際に、図３に示すように、従来のように取付けボス２ｄがリブ片２ｃと共にトリム本体２から剥離することなく脆弱部４が破壊して、センタトリム３の接合部３ｂと共に表皮材３−２がトリム本体２の倒壊方向Ｘに引き入れられて、センタトリム３の接合部３ｂの破断面３ｂ−１が表皮材３−２により覆われることになって、破断面３ｂ−１のシャープエッジが車室側に顕出することがなくなる。
【産業上の利用可能性】
【００２２】
以上説明したように、本発明は、他方の分割トリム体の接合部近傍における樹脂芯材に脆弱部を形成したことから、自動車の側突時において一方の分割トリム体が他方の分割トリム体に対して車室側に倒壊した際に脆弱部が破壊して、他方の分割トリム体の接合部と共に表皮材が一方の分割トリム体の倒壊方向に引き入れることになって、他方の分割トリム体の接合部破断面が表皮材により覆われることになって、シャープエッジを車室側に顕出しないようにすることができるために、ドアトリム、リアサイドトリム、ラゲージトリムのような車体の車室側を美装する自動車用トリム部品構造、特に、トリム部品を互いに分割した一対の分割トリム体により構成し、これら接合部同士を重合した状態で取付けることによって一体構成となす自動車用トリム部品構造等に好適であるといえる。
【図面の簡単な説明】
【００２３】
【図１】一般的な自動車用トリム部品であるドアトリム部品を車室側から描画した正面図である。
【図２】本発明に係る実施例を描画した図１のＡ−Ａ断面図である。
【図３】同じく、自動車の側突事故に遭遇した際の図１のＡ−Ａ断面図である。
【図４】従来のドアトリム部品を描画した図１のＡ−Ａ断面図である。
【図５】同じく、自動車の側突事故に遭遇した際の図１のＡ−Ａ断面図である。
【符号の説明】
【００２４】
１        ドアトリム部品（トリム部品）
２        トリム本体(一方の分割トリム体)
２ｂ      接合部
２ｄ      取付けボス
３        センタトリム(他方の分割トリム体)
３−１    樹脂芯材
３−２    表皮材
３ｂ      接合部
３ｂ−１  破断面
３ｃ      取付け孔
４        脆弱部
【図１】
2009101903.tif 000003
【図２】
2009101903.tif 000004
【図３】
2009101903.tif 000005
【図４】
2009101903.tif 000006
【図５】
2009101903.tif 000007